(57)【要約】【課題】  複数の受信情報を装置の操作状態や受信する情報に応じて適切なレイアウトで複数の表示画面に表示する携帯情報端末装置を提供する。【解決手段】  携帯情報端末装置１ａは、第２表示部９が携帯情報端末装置１ａの正面に展開された場合、ユーザから第１表示部３および第２表示部９が同時に視認可能となる。第１表示部３および第２表示部９には、それぞれの表示画面の視認状況に応じて自動的にそれぞれの表示レイアウトが切り替わる。また、表示対象の情報変化に応じて自動的にそれぞれの表示レイアウトが切り替わる。したがって、ユーザにとって見やすい適切なレイアウトで複数の情報を表示することができる。【選択図】  図２
2005198259.tif 000002
【特許請求の範囲】
【請求項１】
複数の情報を受信して表示する携帯情報端末装置であって、
前記複数の情報を受信する受信部と、
受信した情報をその表示画面を用いて表示する第１表示部と、
前記第１表示部が有する表示画面とは別の表示画面を用いて受信した情報を表示する第２表示部と、
前記受信部が受信した情報をそれぞれ前記第１表示部または前記第２表示部に振り分ける条件に基づいて、前記第１表示部および前記第２表示部それぞれに当該情報を表示するレイアウトを設定する映像制御部とを備えることを特徴とする、携帯情報端末装置。
【請求項２】
前記映像制御部は、
前記第１表示部および前記第２表示部のいずれか一方に振り分けられた情報が単数のとき、前記第１表示部および前記第２表示部のいずれか一方に対して表示画面を当該情報のみで占有して表示する単数表示レイアウトに設定し、
前記第１表示部および前記第２表示部のいずれか一方に振り分けられた情報が複数のとき、前記第１表示部および前記第２表示部のいずれか一方に対して表示画面を当該情報で共有して表示する複数表示レイアウトに設定することを特徴とする、請求項１に記載の携帯情報端末装置。
【請求項３】
前記第１表示部の表示画面および前記第２表示部の表示画面とが同じ方向から同時に視認可能な第１状態と、当該方向から前記第１表示部の表示画面のみ視認可能な第２状態とに、所定の動作によって変更可能であることを特徴とする、請求項１に記載の携帯情報端末装置。
【請求項４】
前記第１表示部の表示画面は、前記第１状態および前記第２状態において筐体表面に配置され、
前記第２表示部の表示画面は、
前記第１状態において前記筐体表面に配置され、
前記第２状態において当該表示画面を支持する支持部材を前記筐体背面側に閉じることによって当該背面側に向けて配置されることを特徴とする、請求項３に記載の携帯情報端末装置。
【請求項５】
前記第１表示部の表示画面は、前記第１状態および前記第２状態において筐体表面に配置され、
前記第２表示部の表示画面は、
前記第１状態において前記筐体表面に配置され、
前記第２状態において当該表示画面を支持する支持部材を所定の回転軸を中心に反転させた後、前記筐体背面側に移動させることによって当該背面側に向けて配置されることを特徴とする、請求項３に記載の携帯情報端末装置。
【請求項６】
前記携帯情報端末装置は、前記第１表示部および前記第２表示部が前記第１状態または前記第２状態であることを判別する表示状態判別部を、さらに備え、
前記映像制御部は、
前記表示状態判別部が前記第１表示部および前記第２表示部を前記第１状態であると判別したとき、前記受信部が受信した情報を前記条件に基づいて、当該情報を前記第１表示部および前記第２表示部それぞれに振り分けて表示するレイアウトを設定し、
前記表示状態判別部が前記第１表示部および前記第２表示部を前記第２状態であると判別したとき、前記受信部が受信した情報を全て前記第１表示部に表示するレイアウトを設定することを特徴とする、請求項３に記載の携帯情報端末装置。
【請求項７】
前記携帯情報端末装置は、前記受信部が受信可能な情報毎にそれぞれ前記第１表示部または前記第２表示部に振り分ける指示が記述された表示情報リストを前記条件として記憶する記憶部を、さらに備え、
前記映像制御部は、前記表示状態判別部が前記第１表示部および前記第２表示部を前記第１状態であると判別したとき、前記受信部が受信した情報を前記記憶部に記憶された前記表示情報リストに記述された指示に基づいて、当該情報を前記第１表示部および前記第２表示部それぞれに振り分けて表示するレイアウトを設定することを特徴とする、請求項６に記載の携帯情報端末装置。
【請求項８】
前記携帯情報端末装置は、前記受信部が受信する情報の増減を検出する情報変化検出部を、さらに備え、
前記映像制御部は、前記情報変化検出部における情報の増減の検出に応じて、前記受信部が受信した情報をそれぞれ前記条件に基づいて、当該情報を前記第１表示部および前記第２表示部それぞれに振り分けて表示するレイアウトを設定することを特徴とする、請求項１に記載の携帯情報端末装置。
【請求項９】
前記携帯情報端末装置は、前記受信部が受信可能な情報毎にそれぞれ前記第１表示部または前記第２表示部に振り分ける指示が記述された表示情報リストを前記条件として記憶する記憶部を、さらに備え、
前記映像制御部は、前記情報変化検出部における情報の増減の検出に応じて、前記受信部が受信した情報を前記記憶部に記憶された前記表示情報リストに記述された指示に基づいて、当該情報を前記第１表示部および前記第２表示部それぞれに振り分けて表示するレイアウトを設定することを特徴とする、請求項８に記載の携帯情報端末装置。
【請求項１０】
前記携帯情報端末装置は、ユーザの操作に応答して操作信号を出力する操作部を、さらに備え、
前記記憶部に記憶された表示情報リストに記述された指示は、ユーザが所定の操作を行うことによって前記操作部から出力される操作信号に基づいて変更されることを特徴とする、請求項９に記載の携帯情報端末装置。
【請求項１１】
前記記憶部が記憶する表示情報リストは、前記受信部が受信可能な情報のうち、前記第１表示部または前記第２表示部の表示画面を占有して表示する情報に対してその占有表示を示す指示が、さらに記述されており、
前記映像制御部は、前記受信部が受信した情報のうち、前記表示情報リストに前記占有表示を示す指示が記述された情報があるとき、前記第１表示部および前記第２表示部のいずれか一方に対して表示画面を当該情報のみで占有して表示する単数表示レイアウトに設定することを特徴とする、請求項９に記載の携帯情報端末装置。
【請求項１２】
前記映像制御部は、さらに、前記第１表示部および前記第２表示部のいずれか他方に対して表示画面を他の情報で共有して表示する複数表示レイアウトに設定することを特徴とする、請求項１１に記載の携帯情報端末装置。
【請求項１３】
前記情報変化検出部は、ユーザによって受信予約された時間に応じて前記受信部が当該受信予約された情報を受信したとき、前記情報の増加を検出することを特徴とする、請求項８に記載の携帯情報端末装置。
【請求項１４】
前記情報変化検出部は、前記受信部が緊急警報放送を受信したとき、前記情報の増加を検出することを特徴とする、請求項８に記載の携帯情報端末装置。
【請求項１５】
前記情報変化検出部は、前記受信部が文字スーパーデータを受信したとき、前記情報の増加を検出することを特徴とする、請求項８に記載の携帯情報端末装置。
【請求項１６】
前記携帯情報端末装置は、電話機能を有する送受信部を、さらに備え、
前記情報変化検出部は、前記送受信部において電話機能における着信があったとき、前記情報の増加を検出することを特徴とする、請求項８に記載の携帯情報端末装置。
【請求項１７】
前記携帯情報端末装置は、メール機能を有する送受信部を、さらに備え、
前記情報変化検出部は、前記送受信部においてメール機能におけるメール受信があったとき、前記情報の増加を検出することを特徴とする、請求項８に記載の携帯情報端末装置。
【請求項１８】
前記情報変化検出部は、所定の時間が経過したとき、当該時間の経過を示す情報の増加を検出することを特徴とする、請求項８に記載の携帯情報端末装置。
【請求項１９】
前記携帯情報端末装置は、前記受信部が受信可能な情報毎の優先度を前記条件として記憶する優先度記憶部を、さらに備え、
前記映像制御部は、前記受信部が受信した情報のうち、前記優先度記憶部で記憶する優先度が最も高い情報を、前記第１表示部および前記第２表示部のいずれか一方に対して表示画面を当該情報のみで占有して表示する単数表示レイアウトに設定することを特徴とする、請求項１に記載の携帯情報端末装置。
【請求項２０】
前記映像制御部は、前記受信部が受信した情報のうち、前記優先度記憶部で記憶する優先度が閾値以下の情報に対して、当該情報の内容を簡易的に示した簡易表示で当該情報を表示するレイアウトを設定することを特徴とする、請求項１９に記載の携帯情報端末装置。
【請求項２１】
前記映像制御部は、前記受信部が受信した情報のうち、前記優先度記憶部で記憶する優先度が最も高い情報が複数あるとき、前記第１表示部および前記第２表示部のいずれか一方に対して表示画面を優先度が最も高い複数の情報のみで共有して表示する複数表示レイアウトに設定することを特徴とする、請求項１９に記載の携帯情報端末装置。
【請求項２２】
前記受信部が受信する情報は、映像信号、音声信号、および文字情報の少なくとも１つを含む放送データを少なくとも含んでおり、
前記携帯情報端末装置は、前記受信部が受信した前記放送データから前記映像信号および前記文字情報を前記映像制御部に出力する入出力制御部を、さらに備え、
前記映像制御部は、少なくとも前記入出力制御部から出力された前記映像信号および前記文字情報をそれぞれ前記条件に基づいて前記第１表示部および前記第２表示部それぞれに表示するレイアウトを設定することを特徴とする、請求項１に記載の携帯情報端末装置。
【請求項２３】
前記受信部が受信する情報は、ＭＰＥＧ方式の映像信号、音声信号、および文字情報の少なくとも１つを含む放送データを少なくとも含んでおり、
前記受信部は、前記放送データを受信したとき、当該放送データを示すトランスポートストリームを出力し、
前記携帯情報端末装置は、前記受信部から出力されるトランスポートストリームに対して、トランスポートデコードおよび映像／音声デコードを行って映像データおよび音声データの出力する入出力制御部を、さらに備え、
前記映像制御部は、少なくとも前記入出力制御部から出力された前記映像データを前記条件に基づいて前記第１表示部および前記第２表示部それぞれに表示するレイアウトを設定することを特徴とする、請求項１に記載の携帯情報端末装置。
【請求項２４】
前記第１表示部および第２表示部は、それぞれ異なる表示方式で構成されることを特徴とする、請求項１に記載の携帯情報端末装置。
【請求項２５】
前記第１表示部および第２表示部は、それぞれＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｔ）、および電子ペーパーの群から選ばれる表示方式で構成され、かつ、それぞれ異なる表示方式で構成されることを特徴とする、請求項２４に記載の携帯情報端末装置。
【発明の詳細な説明】
【技術分野】
【０００１】
本発明は、複数の表示部を有する携帯情報端末装置に関する。
【背景技術】
【０００２】
近年、集積化技術や通信技術の進歩に伴い、無線通信が可能な携帯情報端末装置を用いて、画像、動画、および電子メール等の各種データの閲覧が可能になっている。特に、携帯電話は、従来の音声通話のみならず、上記各種データを取り扱う携帯情報端末装置として急速に普及している。そして、地上波デジタルテレビ放送においては、携帯電話を含む携帯情報端末装置や移動体通信機等をターゲットとしたサービスが予定されている。
【０００３】
しかしながら、上記各種データに基づく情報を表示する携帯情報端末装置は、一般的に表示画面が１つである。したがって、その表示画面に複数の情報を表示する場合、画像情報と文字情報とを重ねて表示したり、画面の切り替えやスクロールを行ったりする必要があり、ユーザにとって見にくいものであった。これに対して、複数の表示画面を備えた情報端末装置が開示されている（例えば、特許文献１参照）。特許文献１で開示された携帯情報端末装置は、複数の表示画面を備えており、受信した情報の種類に応じて異なる表示画面上に表示することができる。
【特許文献１】特開平１０−２００９６０号公報
【発明の開示】
【発明が解決しようとする課題】
【０００４】
しかしながら、上記特許文献１で開示された携帯情報端末装置は、受信情報の種類に応じて、それぞれ表示させる表示画面が固定されているため、受信情報によっては一方の表示画面にのみ表示が行われることがある。また、上記携帯情報端末装置は、１つの表示画面に複数の情報をレイアウトして表示する複数画面レイアウトから、１つの情報を単独でレイアウトして表示する単数画面レイアウトへ切り替えたり、その逆に切り替えたり、表示情報の追加や削除等、動的な画面レイアウトの変更に対応することができない。つまり、携帯情報端末装置のユーザや情報の受信状況に応じた適切なレイアウトで、複数の受信情報をそれぞれの表示画面に表示することが困難であった。
【０００５】
それ故に、本発明の目的は、複数の受信情報を装置の操作状態や受信する情報に応じて適切なレイアウトで複数の表示画面に表示する携帯情報端末装置を提供することである。
【課題を解決するための手段】
【０００６】
上記の目的を達成するために、本発明は以下の構成を採用した。なお、括弧内の参照符号やステップ番号等は、本発明の理解を助けるために後述する実施形態との対応関係を示したものであって、本発明の範囲を何ら限定するものではない。
【０００７】
本発明の携帯情報端末装置（１）は、複数の情報を受信して表示する。携帯情報端末装置は、受信部（１１、１２）、第１表示部（３）、第２表示部（９）、および映像制御部（１４）を備える。受信部は、複数の情報を受信する。第１表示部は、受信した情報をその表示画面を用いて表示する。第２表示部は、第１表示部が有する表示画面とは別の表示画面を用いて受信した情報を表示する。映像制御部は、受信部が受信した情報をそれぞれ第１表示部または第２表示部に振り分ける条件（表示情報リスト）に基づいて、第１表示部および第２表示部それぞれにそれら情報を表示するレイアウトを設定する。
【０００８】
映像制御部は、第１表示部および第２表示部のいずれか一方に振り分けられた情報が単数のとき、第１表示部および第２表示部のいずれか一方に対して表示画面をその情報のみで占有して表示する単数表示レイアウトに設定し（Ｓ１４、Ｓ１７、Ｓ２４、Ｓ２７、Ｓ３３、Ｓ２８、Ｓ２９、Ｓ４４、Ｓ４７）、第１表示部および第２表示部のいずれか一方に振り分けられた情報が複数のとき、第１表示部および第２表示部のいずれか一方に対して表示画面をそれら情報で共有して表示する複数表示レイアウトに設定してもかまわない（Ｓ１３、Ｓ１６、Ｓ１９、Ｓ２３、Ｓ２６、Ｓ３２、Ｓ４６、Ｓ４９）。
【０００９】
本発明の携帯情報端末装置は、以下に述べるように種々のものが考えられる。携帯情報端末装置の第１の例（１ａ、１ｂ）は、第１表示部の表示画面および第２表示部の表示画面とが同じ方向から同時に視認可能な第１状態（図２および図３（ｃ））と、その方向から第１表示部の表示画面のみ視認可能な第２状態（図１（ａ）および図３（ａ））とに、所定の動作によって変更可能である。一例として、第１表示部の表示画面は、第１状態および第２状態において筐体表面に配置され、第２表示部の表示画面は、第１状態において筐体表面に配置され、第２状態においてその表示画面を支持する支持部材（１０ａ）を筐体背面側に閉じることによってその背面側に向けて配置される。他の例として、第１表示部の表示画面は、第１状態および第２状態において筐体表面に配置され、第２表示部の表示画面は、第１状態において筐体表面に配置され、第２状態においてその表示画面を支持する支持部材（１０ｂ）を所定の回転軸（７ｂ）を中心に反転させた後、筐体背面側に移動させることによってその背面側に向けて配置される。
【００１０】
また、上記携帯情報端末装置は、第１表示部および第２表示部が第１状態または第２状態であることを判別する表示状態判別部（１５）を備えてもかまわない。この場合、映像制御部は、表示状態判別部が第１表示部および第２表示部を第１状態であると判別（Ｓ１１でＹｅｓ）したとき、受信部が受信した情報を条件に基づいて、それら情報を第１表示部および第２表示部それぞれに振り分けて表示するレイアウトを設定し（Ｓ１２〜Ｓ１７）、表示状態判別部が第１表示部および第２表示部を第２状態であると判別（Ｓ１１でＮｏ）したとき、受信部が受信した情報を全て第１表示部に表示するレイアウトを設定する（Ｓ１９）。さらに、携帯情報端末装置は、受信部が受信可能な情報（表示情報）毎にそれぞれ第１表示部または第２表示部に振り分ける指示（第１表示部選択フラグ）が記述された表示情報リストを条件として記憶する記憶部（１７）を備えてもかまわない。この場合、映像制御部は、表示状態判別部が第１表示部および第２表示部を第１状態であると判別したとき、受信部が受信した情報を記憶部に記憶された表示情報リストに記述された指示に基づいて、それら情報を第１表示部および第２表示部それぞれに振り分けて表示するレイアウトを設定する。
【００１１】
携帯情報端末装置の第２の例（１ｃ）は、受信部が受信する情報の増減を検出する情報変化検出部（１９）を、さらに備える。この場合、映像制御部は、情報変化検出部における情報の増減の検出に応じて、受信部が受信した情報をそれぞれ条件に基づいて、それら情報を第１表示部および第２表示部それぞれに振り分けて表示するレイアウトを設定する（Ｓ２１〜Ｓ３３）。さらに、上記携帯情報端末装置は、受信部が受信可能な情報毎にそれぞれ第１表示部または第２表示部に振り分ける指示が記述された表示情報リストを条件として記憶する記憶部を備えてもよい。この場合、映像制御部は、情報変化検出部における情報の増減の検出に応じて、受信部が受信した情報を記憶部に記憶された表示情報リストに記述された指示に基づいて、それら情報を第１表示部および第２表示部それぞれに振り分けて表示するレイアウトを設定する。また、上記携帯情報端末装置は、ユーザの操作に応答して操作信号を出力する操作部（４）を、さらに備えてもかまわない。この場合、記憶部に記憶された表示情報リストに記述された指示は、ユーザが所定の操作を行うことによって操作部から出力される操作信号に基づいて変更される。
【００１２】
また、上記記憶部が記憶する表示情報リストは、受信部が受信可能な情報のうち、第１表示部または第２表示部の表示画面を占有して表示する情報に対してその占有表示を示す指示（表示部占有フラグ）が、さらに記述されていてもかまわない。この場合、映像制御部は、受信部が受信した情報のうち、表示情報リストに占有表示を示す指示が記述された情報があるとき（Ｓ２１でＹｅｓ）、第１表示部および第２表示部のいずれか一方に対して表示画面をその情報のみで占有して表示する単数表示レイアウトに設定する（Ｓ２９）。さらに、映像制御部は、第１表示部および第２表示部のいずれか他方に対して表示画面を他の情報で共有して表示する複数表示レイアウトに設定してもかまわない（Ｓ３２）。
【００１３】
上述した情報変化検出部は、以下に述べるように種々のものが考えられる。情報変化検出部の第１の例は、ユーザによって受信予約された時間に応じて受信部がその受信予約された情報を受信したとき、情報の増加を検出する。情報変化検出部の第２の例は、受信部が緊急警報放送を受信したとき、情報の増加を検出する。情報変化検出部の第３の例は、受信部が文字スーパーデータを受信したとき、情報の増加を検出する。情報変化検出部の第４の例は、上記携帯情報端末装置が電話機能を有する送受信部をさらに備えている場合、送受信部において電話機能における着信があったとき、情報の増加を検出する。情報変化検出部の第５の例は、携帯情報端末装置がメール機能を有する送受信部を備えている場合、送受信部においてメール機能におけるメール受信があったとき、情報の増加を検出する。情報変化検出部の第６の例は、所定の時間が経過したとき、その時間の経過を示す情報の増加を検出する。
【００１４】
携帯情報端末装置の第３の例（１ｄ）は、受信部が受信可能な情報毎の優先度を条件として記憶する優先度記憶部（１７１）を、さらに備えている。この場合、映像制御部は、受信部が受信した情報のうち、優先度記憶部で記憶する優先度が最も高い情報（Ａ）を、第１表示部および第２表示部のいずれか一方に対して表示画面をその情報のみで占有して表示する単数表示レイアウトに設定する（Ｓ４４、Ｓ４７）。上記映像制御部は、受信部が受信した情報のうち、優先度記憶部で記憶する優先度が閾値以下の情報に対して、それら情報の内容を簡易的に示した簡易表示でそれら情報を表示するレイアウトを設定してもかまわない（Ｓ４５、Ｓ４８）。また、映像制御部は、受信部が受信した情報のうち、優先度記憶部で記憶する優先度が最も高い情報が複数あるとき、第１表示部および第２表示部のいずれか一方に対して表示画面を優先度が最も高い複数の情報のみで共有して表示する複数表示レイアウトに設定してもかまわない。
【００１５】
受信部が受信する情報は、一例として、映像信号、音声信号、および文字情報の少なくとも１つを含む放送データを少なくとも含んでいる。この場合、携帯情報端末装置は、受信部が受信した放送データから映像信号および文字情報を映像制御部に出力する入出力制御部（１３）を、さらに備え、映像制御部は、少なくとも入出力制御部から出力された映像信号および文字情報をそれぞれ条件に基づいて第１表示部および第２表示部それぞれに表示するレイアウトを設定する。受信部が受信する情報は、他の例として、ＭＰＥＧ方式の映像信号、音声信号、および文字情報の少なくとも１つを含む放送データを少なくとも含んでいる。この場合、受信部は、放送データを受信したとき、その放送データを示すトランスポートストリームを出力し、携帯情報端末装置は、受信部から出力されるトランスポートストリームに対して、トランスポートデコードおよび映像／音声デコードを行って映像データおよび音声データの出力する入出力制御部を、さらに備え、映像制御部は、少なくとも入出力制御部から出力された映像データを条件に基づいて第１表示部および第２表示部それぞれに表示するレイアウトを設定する。
【００１６】
第１表示部および第２表示部は、それぞれ異なる表示方式で構成されてもかまわない。例えば、第１表示部および第２表示部は、それぞれＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｔ）、および電子ペーパーの群から選ばれる表示方式で構成され、かつ、それぞれ異なる表示方式で構成される。
【発明の効果】
【００１７】
本発明の携帯情報端末装置によれば、受信した情報を複数の表示部に表示するとき、それら表示部における表示レイアウトを所定の条件に基づいて自動的に切り替えることが可能となる。また、それぞれの表示部に表示される表示レイアウトは、表示対象の情報数に応じて単数表示レイアウトあるいは複数表示レイアウトに自動的に切り替えることが可能となる。
【００１８】
また、携帯情報端末装置の第１の例によれば、複数の表示部の視認状況に応じて自動的にそれぞれの表示レイアウトが切り替わり、ユーザにとって見やすい適切なレイアウトで複数の情報を表示することができる。また、表示情報リストを参照して受信した情報を複数の表示部に振り分けることによって、複数の表示部が視認可能な場合、それぞれの表示レイアウトを適切に設定することができる。
【００１９】
また、携帯情報端末装置の第２の例によれば、受信する情報数の増減に応じて自動的にそれぞれの表示レイアウトが切り替わり、ユーザにとって見やすい適切なレイアウトで複数の情報を表示することができる。また、表示情報リストを参照して受信した情報を複数の表示部に振り分けることによって、それぞれの表示レイアウトを適切に設定することができる。さらに、表示情報リストの記述内容は、ユーザの操作によって変更可能であるため、ユーザの指示に応じた表示レイアウトを設定することができる。
【００２０】
さらに、上記表示情報リストに占有表示を示す指示が記述されている場合、いずれかの表示部を１つの情報で占有して表示することができる。この場合、他の情報は、非占有の表示部を共有して表示することができるため、ユーザが視認できる情報の数を損なわずに各情報を表示することができる。
【００２１】
受信する情報としては、受信予約された情報、緊急警報放送、文字スーパーデータ、電話機能における着信、メール機能におけるメール受信、タイマ、アラーム、スケジューリング機能等の時間経過情報、およびデジタルテレビ放送を含んだ放送データ等に対して、本発明を適用することができる。
【００２２】
また、携帯情報端末装置の第３の例によれば、表示する情報毎に表示部を占有して表示するための優先度を付与するため、これらの優先度にしたがって自動的に複数表示部に対する表示レイアウトが切り替わり、ユーザに負荷を与えることなく、見やすい適切なレイアウトで表示することができる。また、優先度が低い情報を簡易表示して表示することも可能であり、表示する情報の重要度に応じて表示レイアウトのメリハリを付与することが可能となる。また、別々の表示部に表示することによって不都合が生じる情報に対して同じ優先度を設定すれば、それらの情報を常に同じ表示部に表示することが可能となる。
【発明を実施するための最良の形態】
【００２３】
（第１の実施形態）
以下、図面を参照して、本発明の第１の実施形態に係る携帯情報端末装置について説明する。以下の説明においては、当該携帯情報端末装置を携帯電話およびそれに類する機器へ応用した例を用いる。なお、図１（ａ）は携帯情報端末装置１ａの正面側斜視図であり、図１（ｂ）は携帯情報端末装置１ａの背面側斜視図であり、図２は携帯情報端末装置１ａの背板１０ａを開いた状態を示す正面側斜視図である。
【００２４】
図１において、携帯情報端末装置１ａは、スピーカ２、第１表示部３、操作キー４、マイク５、カメラ６、回転軸７ａ、アンテナ８、第２表示部９、および背板１０ａを備えている。携帯情報端末装置１ａは、アンテナ８を介して情報の発信および受信を行う。携帯情報端末装置１ａにおいて、従来の音声通話がスピーカ２およびマイク５からそれぞれ入出力される。操作キー４は、携帯情報端末装置１ａのユーザからの操作に応答してその操作データを入力する。第１表示部３は、携帯情報端末装置１ａの正面に配置され、その表示画面を正面方向に向けた表面ディスプレイである。第２表示部９は、背板１０ａが閉じた状態（図１の状態）において携帯情報端末装置１ａの背面に配置され、その表示画面を背面方向に向けた背面ディスプレイである。携帯情報端末装置１ａが撮像機能を有している場合、カメラ６が設けられる。なお、第１表示部３および第２表示部９は、共にＬＣＤ（Ｌｉｑｕｉｄ  Ｃｒｙｓｔａｌ  Ｄｉｓｐｌａｙ）で構成される以外に、ＬＣＤおよび有機ＥＬ（Ｅｌｅｃｔｒｏ  Ｌｕｍｉｎｅｓｃｅｎｔ）などそれぞれ異なる表示方式で構成されてもかまわない。また、他の表示方式として、電子ペーパー、ポリシリコン液晶でもよく、ＬＣＤでもバックライト有りとバックライト無しや、異なる電圧で表示制御する方式でもかまわない。
【００２５】
操作キー４は、複数のキースイッチを有し、ユーザからの表示情報の変更要求を受けつけることもできる。例えば、操作キー４は、ユーザよりＴＶ画像に対する表示追加要求を示す操作に応じて、映像制御部１４に表示レイアウト変更を示す信号を出力する。他にレイアウト変更として、表示情報の削除、表示領域の移動等がある。また、カメラ６は、ユーザからのカメラ操作要求を受けてレンズを介して撮像される撮影画像データを映像制御部１４に出力する。
【００２６】
携帯情報端末装置１ａは、回転軸７ａが設けられておりこの回転軸７ａを中心に背板１０ａが開閉可能となっている。背板１０ａは、閉状態（図１の状態）では携帯情報端末装置１ａの背面側に位置し、開状態（図２の状態）では携帯情報端末装置１ａの正面側に展開される。図１（ｂ）および図２に示すように、第２表示部９が背板１０ａの一方面に形成されており、上記開状態では第２表示部９が携帯情報端末装置１ａの正面側に展開される。つまり、背板１０ａを開状態にすることによって、第１表示部３と同時に視認が行える位置関係に第２表示部９が移動する。背板１０ａが閉状態ではユーザの正面に対向する第１表示部３のみ視認可能であり、この状態で携帯情報端末装置１ａが受信する複数の情報を表示する際には、第１表示部３に表示領域表示を重ねたり、情報毎に表示領域を分割したりしてマルチウィンドウで表示する等して表示を行う。そして、背板１０ａが閉状態では携帯情報端末装置１ａの背面に配置される第２表示部９は、正面からユーザが視認困難であるため、携帯情報端末装置１ａが受信した情報等を表示しない。一方、第２表示部９が携帯情報端末装置１ａの正面に展開された場合、ユーザから第１表示部３および第２表示部９が同時に視認可能となる。したがって、複数の情報表示を第１表示部３および第２表示部９に振り分けた表示レイアウトで表示することが可能となる。
【００２７】
例えば、図１に示すように、背板１０ａが閉状態では第１表示部３にＴＶ画像Ｉ１、番組情報Ｉ２、およびメールの受信情報Ｉ３が複数表示レイアウトで表示され、第２表示部９には情報が表示されない。そして、背板１０ａが開状態では第１表示部３にＴＶ画像Ｉ１のみを表示するような単数表示レイアウトで表示され、第２表示部９に番組情報Ｉ２およびメール受信情報Ｉ３が複数表示レイアウトで表示される。このように、携帯情報端末装置１ａは、背板１０ａが開状態で第１表示部３に画面上の画像の一部を損ねることないＴＶ画像Ｉ１を表示し、第２表示部９に番組情報Ｉ２およびメール受信情報Ｉ３を表示することによって、ユーザが見やすいインターフェースへの変更を提供している。
【００２８】
上述したように、携帯情報端末装置１ａの第２表示部９は、回転軸７ａを中心とした背板１０ａの開閉動作によってユーザから視認可能な位置または視認不可の位置に移動することができるが、他の動作によっても同様の機能を実現することができる。なお、図３は、他の動作によって第２表示部９がユーザから視認可能な位置または視認不可の位置に移動する携帯情報端末装置１ｂの一例を示す正面側斜視図である。
【００２９】
図３において、携帯情報端末装置１ｂは、伸縮可能な回転軸７ｂが設けられており、この回転軸７ｂを中心に背板１０ｂが回転可能となっている。そして、第２表示部９が背板１０ｂの一方面に形成されている。図３（ａ）に示すように、回転軸７ｂを縮んだ状態とし背板１０ｂを携帯情報端末装置１ｂの背面側に位置することによって、第２表示部９が携帯情報端末装置１ｂの背面に配置され、その表示画面が背面方向に向けられる。そして、図３（ｂ）に示すように、回転軸７ｂを図示矢印方向に伸ばすことによって背板１０ｂが携帯情報端末装置１ｂの背面から引き出される。その後、図３（ｃ）に示すように、回転軸７ｂを中心に背板１０ｂを回転させることによって、第２表示部９の表示画面が携帯情報端末装置１ｂの正面側から視認可能となる。このように、第２表示部９の動作は、携帯情報端末装置１ａで示した開閉動作（折りたたみ／展開動作）に限定されず、携帯情報端末装置１ｂのような引き出しおよび回転動作により視認が行える位置関係に移動する構造も可能である。
【００３０】
次に、図４を参照して、携帯情報端末装置１ａおよび１ｂの内部構成について説明する。なお、図４は、携帯情報端末装置１ａおよび１ｂの内部構成を示すブロック図である。なお、携帯情報端末装置１ａおよび１ｂは、上述した背板１０ａおよび１０ｂの動作が異なるのみで内部構成については同一であるため、以下、携帯情報端末装置１と総称して説明を行う。
【００３１】
図４において、携帯情報端末装置１は、上述したスピーカ２、第１表示部３、操作キー４、マイク５、カメラ６、アンテナ８、および第２表示部９に加えて、送受信部１１、受信部１２、入出力制御部１３、映像制御部１４、表示状態判別部１５、ＣＰＵ１６、記憶部１７、音声出力部１８を備えている。
【００３２】
アンテナ８ａおよび８ｂは、携帯情報端末装置１が無線通信を行いデータの送受信を行うために設けられており、図１〜図３で示したアンテナ８を共通に用いてもかまわない。また、アンテナ８ａを図１〜図３で示したアンテナ８とし、アンテナ８ｂを別体（例えば、内蔵アンテナ）で構成してもかまわない。図１〜図３を用いて説明した他の構成要素については、上述と同様であるため詳細な説明を省略する。
【００３３】
送受信部１１は、アンテナ８ａを介して受信された受信データを復調し入出力制御部１３へ出力し、入出力制御部１３から入力された送信データの変調しアンテナ８ａを介して出力する。そして、送受信部１１は、別の情報装置や情報提供業者等が所有するデータベースとのデータ通信および電話等との音声通話を行う。なお、通信網の形態は、無線に限られず一般公衆網、ＩＳＤＮ、ＰＨＳ、携帯電話等の通信端末に適応可能である。
【００３４】
アンテナ８ｂは、放送を受信するためのアンテナである。受信部１２は、アンテナ８ｂを介して受信された受信データを復調し入出力制御部１３への出力を行い、別の情報装置や情報提供業者等が所有するデータベースからのデータ受信を行う。なお、受信部１２からの入力としては、アナログ放送、衛星デジタル放送、地上波デジタル放送等がある。
【００３５】
入出力制御部１３は、操作キー４、マイク５、カメラ６、送受信部１１、および受信部１２から入力されるデータから必要なデータを抽出する。そして、入出力制御部１３は、抽出したデータに応じてスピーカ２、送受信部１１、映像制御部１４、ＣＰＵ１６、記憶部１７、および音声出力部１８を選択して当該データを出力する。
【００３６】
映像制御部１４は、入出力制御部１３または記憶部１７から入力された各種データを用いて、第１表示部３および第２表示部９へそれぞれ出力する映像信号を生成する。
【００３７】
例えば、上記構成要素の動作の一例を説明すると、アンテナ８ｂがＭＰＥＧ方式の映像信号や音声信号あるいは文字情報等で構成される放送データを受信する場合、受信部１２は当該放送データを受信しトランスポートストリームの出力を行う。入出力制御部１３は、受信部１２より出力されたトランスポートストリームを入力とし、トランスポートデコード、ＰＳＩ／ＳＩ情報の抽出、映像／音声デコードを行う。そして、入出力制御部１３は、電子番組表（ＥＰＧ）、番組情報、および番組受信状態を記憶部１７への出力し、映像データを映像制御部１４へ出力し、音声データを音声出力部１８へ出力する。映像制御部１４は、入出力制御部１３から出力された映像データ、記憶部１７から出力された電子番組表（ＥＰＧ）や番組情報を入力とし、第１表示部３および第２表示部９のいずれかに出力する。なお、上述したデータの他に携帯情報端末装置１へ入力するデータとしては、データ放送、緊急警告放送（ＥＷＳ）、字幕、および文字スーパーデータ等がある。
【００３８】
また、アンテナ８ａを介して、送受信部１１がネットワーク情報の送受信を行うことも可能である。この場合、入出力制御部１３は、送受信部１１から入力されるネットワークからのダウンロード情報を記憶部１７へ出力し、記憶部１７から入力されるアップロード情報を送受信部１１へ出力する。そして、映像制御部１４は、記憶部１７から出力されたネットワークからのダウンロードデータを入力とし、第１表示部３および第２表示部９いずれかに出力する。なお、その他送受信部１１が送受信する対象は、通話データ、着信／発信情報、メール送受信、メール情報、メールに付与される動画、静止画情報、テレビ電話データ等がある。
【００３９】
また、映像制御部１４は、第１表示部３および第２表示部９へ出力する映像の表示レイアウトを行う。例えば、映像制御部１４は、図１（ａ）で示したように、第１表示部３にＴＶ画像Ｉ１、番組情報Ｉ２、およびメールの受信情報Ｉ３を情報ごとに表示画面の一部を割り当て、情報ごとの表示領域の分割や、情報ごとの表示領域の共有を行って複数の情報を同時に表示する複数情報表示レイアウト（以下、複数表示レイアウトと記載する）を行う。この複数表示レイアウトは、情報の内容に応じて、それぞれの情報の一部のみ表示、文章情報の略語化や記号化、画像情報における表示サイズの縮小の加工を行って、複数の情報を同時に表示することもある。また、映像制御部１４は、図２に示したように、第１表示部３にＴＶ画像Ｉ１のみの単数の情報で表示画面を占有して表示する単数情報表示レイアウト（以下、単数表示レイアウトと記載する）を行う。
【００４０】
表示状態判別部１５は、第２表示部９が第１表示部３と同時にユーザから視認可能かを検知する。そして、表示状態判別部１５は、第２表示部９が第１表示部３と同時に視認可能な場合、視認可能信号を映像制御部１４へ出力し、視認不可能な場合、視認不可能信号を映像制御部１４へ出力する。例えば、図１〜図３で示したような回転軸７ａまたは７ｂを有する携帯情報端末装置１の場合、表示状態判別部１５は、回転軸７ａまたは７ｂの回転角度を認識して閾値以上の回転角度の場合、第１表示部３および第２表示部９が同時に視認可能と判断し、視認可能信号を映像制御部１４へ出力する。一方、表示状態判別部１５は、上記閾値未満の回転角度の場合、第１表示部３および第２表示部９が同時に視認不可能と判断し、視認不可能信号を映像制御部１４へ出力する。
【００４１】
記憶部１７には、表示情報リストが格納される。以下、図５を参照して、表示情報リストについて説明する。なお、図５は、記憶部１７に格納される表示情報リストの一例を示す図である。
【００４２】
図５において、表示情報リストは、各種表示情報に対応するそれぞれの表示フラグおよび第１表示部選択フラグが記述されている。表示情報とは、携帯情報端末装置１に表示することが可能な情報種別を示しており、例えば「ＥＰＧ」、「ＴＶ画像」、「ＴＶ操作」、および「メール受信」等が記述される。表示フラグは、現在携帯情報端末装置１に表示する表示情報に対して「ＯＮ」が記述され、表示しない表示情報に対して「ＯＦＦ」が記述される。表示フラグは、ユーザが表示したい情報を操作キー４を用いて指示することによって更新されたり、自動的に受信する信号やデータ（例えば、電話着信やメール受信）に応じて更新される。第１表示部選択フラグは、第１表示部３に対して優先的に表示される表示情報に対して「ＯＮ」が記述され、他の表示情報に対して「ＯＦＦ」が記述される。第１表示部選択フラグは、ユーザが第１表示部３に優先的に表示したい情報を操作キー４を用いて指示することによって更新される。図５の一例では、表示情報「ＥＰＧ」および「ＴＶ画像」に対して表示フラグ「ＯＮ」が記述され、表示情報「ＴＶ画像」および「ＴＶ操作」に対して第１表示部選択フラグ「ＯＮ」が記述されている。
【００４３】
映像制御部１４は、入出力制御部１３または記憶部１７から入力された各種データを、表示状態判別部１５から出力される視認可能信号／視認不可能信号および記憶部１７に格納された表示情報リストに基づいて、第１表示部３および第２表示部９それぞれに表示するレイアウトを変更する。図６（ａ）は、上記視認不可能信号が出力された場合、図５で説明した表示情報リストに基づいて、第１表示部３および第２表示部９それぞれに表示するレイアウトの一例を示す図である。図６（ｂ）は、上記視認可能信号が出力された場合、図５で説明した表示情報リストに基づいて、第１表示部３および第２表示部９それぞれに表示するレイアウトの一例を示す図である。
【００４４】
図６（ａ）において、映像制御部１４は、表示状態判別部１５から視認不可能信号を受けた場合、第２表示部９への表示を停止し、表示フラグが「ＯＮ」の表示情報を全て第１表示部３にレイアウトして表示する。図５で示した表示情報リストでは、表示情報「ＥＰＧ」および「ＴＶ画像」に対して表示フラグ「ＯＮ」が記述されているため、映像制御部１４は、ＴＶ画像Ｉ１およびＥＰＧＩ２を第１表示部３に複数表示レイアウトで表示する。
【００４５】
図６（ｂ）において、映像制御部１４は、表示状態判別部１５から視認可能信号を受けた場合、第２表示部９への表示を開始し、表示フラグが「ＯＮ」の表示情報を表示情報リストに基づいて第１表示部３または第２表示部９にレイアウトして表示する。図５で示した表示情報リストでは、表示情報「ＥＰＧ」および「ＴＶ画像」に対して表示フラグ「ＯＮ」が記述されており、表示情報「ＴＶ画像」および「ＴＶ操作」に対して第１表示部選択フラグ「ＯＮ」が記述されているため、映像制御部１４は、ＴＶ画像Ｉ１を第１表示部に単数表示レイアウトで表示し、ＥＰＧＩ２を第２表示部９に単数表示レイアウトで表示する。
【００４６】
以下、図７を参照して、映像制御部１４が行う表示状態変更処理の動作について説明する。なお、図７は、映像制御部１４が行う表示状態変更処理を示すフローチャートである。この映像制御部１４が行う表示状態変更処理は、表示状態判別部１５から出力される視認可能信号／視認不可能信号が切り替わることに応じてスタートする。
【００４７】
図７において、映像制御部１４は、記憶部１７に格納された表示情報リストを検索し、表示フラグ「ＯＮ」が複数記述されているか否かを判断する（ステップＳ１０）。そして、映像制御部１４は、複数の表示フラグ「ＯＮ」が記述されている場合、処理を次のステップＳ１１に進める。一方、映像制御部１４は、表示フラグ「ＯＮ」が複数記述されていない場合、処理を次のステップＳ１８に進める。
【００４８】
ステップＳ１１において、映像制御部１４は、表示状態判別部１５から出力される視認可能信号／視認不可能信号に基づいて、現在第２表示部９が視認可能か否かを判断する。そして、映像制御部１４は、視認可能な場合に処理を次のステップＳ１２に進め、視認不可の場合に処理を次のステップＳ１９に進める。
【００４９】
ステップＳ１２において、映像制御部１４は、記憶部１７に格納された表示情報リストから表示フラグ「ＯＮ」が記述されている表示情報を検索し、当該表示情報のうち第１表示部選択フラグ「ＯＮ」が記述されている表示情報が複数あるか否かを判断する。そして、第１表示部選択フラグ「ＯＮ」が記述されている表示情報が複数ある場合、映像制御部１４は、当該表示情報（つまり、表示フラグ「ＯＮ」かつ第１表示部選択フラグ「ＯＮ」が記述された表示情報）を複数表示レイアウトで第１表示部３に表示して（ステップＳ１３）、処理を次のステップＳ１５に進める。一方、第１表示部選択フラグ「ＯＮ」が記述されている表示情報が複数でない場合、映像制御部１４は、当該表示情報を単数表示レイアウトで第１表示部３に表示して（ステップＳ１４）、処理を次のステップＳ１５に進める。なお、ステップＳ１４において、第１表示部選択フラグ「ＯＮ」が記述されている表示情報がない場合、映像制御部１４は、第１表示部３を未表示にしてもいいし、第１表示部選択フラグ「ＯＦＦ」かつ表示フラグ「ＯＮ」が記述された表示情報から任意の情報を選択して単数表示レイアウトで第１表示部３に表示してもかまわない。
【００５０】
ステップＳ１５において、映像制御部１４は、記憶部１７に格納された表示情報リストから表示フラグ「ＯＮ」が記述されている表示情報を検索し、当該表示情報のうち第１表示部選択フラグ「ＯＦＦ」が記述されている表示情報が複数あるか否かを判断する。そして、第１表示部選択フラグ「ＯＦＦ」が記述されている表示情報が複数ある場合、映像制御部１４は、当該表示情報（つまり、表示フラグ「ＯＮ」かつ第１表示部選択フラグ「ＯＦＦ」が記述された表示情報）を複数表示レイアウトで第２表示部９に表示して（ステップＳ１６）、当該フローチャートによる処理を終了する。一方、第１表示部選択フラグ「ＯＦＦ」が記述されている表示情報が複数でない場合、映像制御部１４は、当該表示情報を単数表示レイアウトで第２表示部９に表示して（ステップＳ１７）、当該フローチャートによる処理を終了する。なお、ステップＳ１５において、第１表示部選択フラグ「ＯＦＦ」が記述されている表示情報がない場合、映像制御部１４は、第２表示部９を未表示にしてもかまわない。
【００５１】
ステップＳ１８において、映像制御部１４は、表示フラグ「ＯＮ」が記述された単数の表示情報を単数表示レイアウトで第１表示部３に表示して、当該フローチャートによる処理を終了する。また、ステップＳ１９において、映像制御部１４は、表示フラグ「ＯＮ」が記述された複数の表示情報を複数表示レイアウトで第１表示部３に表示して、当該フローチャートによる処理を終了する。
【００５２】
このように、第１の実施形態に係る携帯情報端末装置によれば、複数の表示部の視認状況に応じて自動的にそれぞれの表示レイアウトが切り替わり、ユーザにとって見やすい適切なレイアウトで複数の情報を表示することができる。
【００５３】
（第２の実施形態）
以下、図面を参照して、本発明の第２の実施形態に係る携帯情報端末装置について説明する。上記第１の実施形態では複数の表示部の視認状況に応じて自動的にそれぞれの表示レイアウトが切り替わる例を説明したが、第２の実施形態では表示対象の情報変化に応じて自動的にそれぞれの表示レイアウトが切り替わる。そして、当該携帯情報端末装置を携帯電話およびそれに類する機器へ応用した場合、図１〜図３を用いて説明した第２表示部９が視認可能／不可能に動作する構造を有していてもいいし、常に第１表示部３および第２表示部９がユーザから視認可能な構造を有していてもかまわない。なお、第１表示部３および第２表示部９は、共にＬＣＤで構成される以外に、ＬＣＤおよび有機ＥＬなどそれぞれ異なる表示方式で構成されてもかまわない。また、他の表示方式として、電子ペーパー、ポリシリコン液晶でもよく、ＬＣＤでもバックライト有りとバックライト無しや、異なる電圧で表示制御する方式でもかまわない。以下、携帯情報端末装置が、常に第１表示部３および第２表示部９がユーザから視認可能な構造を有している一例を用いて説明を行う。
【００５４】
図８を参照して、第２の実施形態に係る携帯情報端末装置１ｃの内部構成について説明する。なお、図８は、携帯情報端末装置１ｃの内部構成を示すブロック図である。なお、携帯情報端末装置１ｃは、第１の実施形態で説明した携帯情報端末装置１ａおよび１ｂに設けられていた表示状態判別部１５が削除され、情報変化検出部１９が追加された構成であり、他の構成要素は同一である。したがって、携帯情報端末装置１ｃの説明にあたっては、第１の実施形態と同様の構成要素に対しては同一の参照符号を付して、詳細な説明を省略する。
【００５５】
図８において、情報変化検出部１９は、入出力制御部１３に入力される情報の変化や表示情報リストの更新を監視し、変化があった場合、情報の変化を示す情報変化信号を映像制御部１４に出力する。例えば、入出力制御部１３より記憶部１７へ出力された電子番組表を用いて番組の視聴予約を行われた際、情報変化検出部１９は、入出力制御部１３が抽出するＰＳＩ／ＳＩ情報を監視することにより、視聴予約が行われた情報を受信した際に、視聴予約番組放送を示す情報変化信号を出力し、視聴予約が行われた番組が終了した際に視聴予約番組終了を示す情報変化信号を出力する。また、情報変化検出部１９は、緊急警報放送（ＥＷＳ）が到着した場合、ＥＷＳ到着を示す情報変化信号を出力してもいいし、文字スーパーデータが到着した場合、文字スーパ到着を示す情報変化信号を出力してもかまわない。さらに、情報変化検出部１９は、着信があった場合、着信を示す情報変化信号を出力してもいいし、メール受信があった場合、メール受信を示す情報変化信号を出力してもいいし、アラーム／スケジュール設定時間に応じてアラーム／スケジュール時間を示す情報変化信号を出力してもかまわない。
【００５６】
記憶部１７には、第１の実施形態と同様に表示情報リストが格納される。そして、表示情報リストは、入出力制御部１３に入力される情報の変化に応じて更新される。以下、図９を参照して、表示情報リストが更新される第１の例について説明する。なお、図９は、記憶部１７に格納され更新される表示情報リストの第１の例を示す図であり、当該情報の変化に応じて更新される前後の表示情報リストを示している。
【００５７】
図９において、表示情報リストは、第１の実施形態と同様に各種表示情報に対応するそれぞれの表示フラグおよび第１表示部選択フラグが記述されている。これらの項目の説明については、第１の実施形態と同様であるため詳細な説明を省略する。なお、図９では、表示情報として、「ＥＰＧ」、「ＴＶ画像」、「ＴＶ操作」、および「メール編集」が記述されている。そして、図９（ａ）では、表示情報「メール編集」に対して表示フラグ「ＯＮ」が記述され、表示情報「ＴＶ画像」および「ＴＶ操作」に対して第１表示部選択フラグ「ＯＮ」が記述されている。また、図９（ｂ）では、表示情報「ＴＶ画像」および「メール編集」に対して表示フラグ「ＯＮ」が記述され、表示情報「ＴＶ画像」および「ＴＶ操作」に対して第１表示部選択フラグ「ＯＮ」が記述されている。つまり、図９（ｂ）で示した表示情報リストは、図９（ａ）で示した表示情報リストに対して表示情報「ＴＶ画像」が表示対象に追加されていることが異なる。
【００５８】
映像制御部１４は、入出力制御部１３または記憶部１７から入力された各種データを、情報変化検出部１９から出力される情報変化信号および記憶部１７に格納された表示情報リストに基づいて、第１表示部３および第２表示部９それぞれに表示するレイアウトを変更する。図１０（ａ）は、図９（ａ）で説明した表示情報リストに基づいて、第１表示部３および第２表示部９それぞれに表示するレイアウトの一例を示す図である。図１０（ｂ）は、図９（ｂ）で説明した表示情報リストに基づいて、第１表示部３および第２表示部９それぞれに表示するレイアウトの一例を示す図である。
【００５９】
図１０（ａ）において、映像制御部１４は、表示フラグが「ＯＮ」の表示情報を表示情報リストに基づいて第１表示部３または第２表示部９にレイアウトして表示する。図９（ａ）で示した表示情報リストでは、表示情報「メール編集」のみに対して表示フラグ「ＯＮ」が記述されているため、映像制御部１４は、メール編集画面Ｉ４を第１表示部３に単数表示レイアウトで表示する。そして、映像制御部１４は、第２表示部９を未表示にする。
【００６０】
図１０（ｂ）において、映像制御部１４は、情報変化検出部１９から出力される視聴予約番組放送を示す情報変化信号を受けた場合、更新された表示情報リストに基づいて表示フラグが「ＯＮ」の表示情報を第１表示部３または第２表示部９にレイアウトして表示する。図９（ｂ）で示した表示情報リストでは、表示情報「ＴＶ画像」および「メール編集」に対して表示フラグ「ＯＮ」が記述されており、表示情報「ＴＶ画像」および「ＴＶ操作」に対して第１表示部選択フラグ「ＯＮ」が記述されているため、映像制御部１４は、ＴＶ画像Ｉ１を第１表示部に単数表示レイアウトで表示し、メール編集画面Ｉ４を第２表示部９に単数表示レイアウトで表示する。
【００６１】
次に、図１１を参照して、表示情報リストが更新される第２の例について説明する。なお、図１１は、記憶部１７に格納され更新される表示情報リストの第２の例を示す図であり、当該情報の変化に応じて更新される前後の表示情報リストを示している。
【００６２】
図１１において、表示情報リストは、第１の実施形態と同様に各種表示情報に対応するそれぞれの表示フラグおよび第１表示部選択フラグが記述されている。これらの項目の説明については、第１の実施形態と同様であるため詳細な説明を省略する。なお、図１１では、表示情報として、「ＥＰＧ」、「ＴＶ画像」、「ＴＶ操作」、および「メール編集」が記述されている。そして、図１１（ａ）では、表示情報「メール編集」に対して表示フラグ「ＯＮ」が記述され、表示情報「メール編集」に対して第１表示部選択フラグ「ＯＮ」が記述されている。また、図１１（ｂ）では、表示情報「ＴＶ画像」および「メール編集」に対して表示フラグ「ＯＮ」が記述され、表示情報「メール編集」に対して第１表示部選択フラグ「ＯＮ」が記述されている。つまり、図１１（ｂ）で示した表示情報リストは、図１１（ａ）で示した表示情報リストに対して表示情報「ＴＶ画像」が表示対象に追加されていることが異なる。
【００６３】
図１２（ａ）は、図１１（ａ）で説明した表示情報リストに基づいて、第１表示部３および第２表示部９それぞれに表示するレイアウトの一例を示す図である。図１２（ｂ）は、図１１（ｂ）で説明した表示情報リストに基づいて、第１表示部３および第２表示部９それぞれに表示するレイアウトの一例を示す図である。
【００６４】
図１２（ａ）において、映像制御部１４は、表示フラグが「ＯＮ」の表示情報を表示情報リストに基づいて第１表示部３または第２表示部９にレイアウトして表示する。図１１（ａ）で示した表示情報リストでは、表示情報「メール編集」のみに対して表示フラグ「ＯＮ」が記述されているため、映像制御部１４は、メール編集画面Ｉ４を第１表示部３に単数表示レイアウトで表示する。そして、映像制御部１４は、第２表示部９を未表示にする。
【００６５】
図１２（ｂ）において、映像制御部１４は、情報変化検出部１９から出力される視聴予約番組放送を示す情報変化信号を受けた場合、更新された表示情報リストに基づいて表示フラグが「ＯＮ」の表示情報を第１表示部３または第２表示部９にレイアウトして表示する。図１１（ｂ）で示した表示情報リストでは、表示情報「ＴＶ画像」および「メール編集」に対して表示フラグ「ＯＮ」が記述されており、表示情報「メール編集」に対して第１表示部選択フラグ「ＯＮ」が記述されているため、映像制御部１４は、メール編集画面Ｉ４を第１表示部に単数表示レイアウトで表示し、ＴＶ画像Ｉ１を第２表示部９に単数表示レイアウトで表示する。
【００６６】
ここで、図１０（ｂ）と図１２（ｂ）とを比較すれば明らかなように、携帯情報端末装置１ｃは、新たに表示対象となった表示情報（ここでは「ＴＶ画像」）を常に同じ表示部に表示するのではなく、表示情報リストで設定された第１表示部選択フラグに基づいて当該表示情報をレイアウトしている。このように、携帯情報端末装置１ｃは、表示情報変化が発生した際、自動的に表示レイアウトが切り替わり、ユーザに負荷を与えることなく、見やすいインターフェースを提供することができる。
【００６７】
次に、図１３を参照して、表示情報リストが更新される第３の例について説明する。なお、図１３は、記憶部１７に格納され更新される表示情報リストの第３の例を示す図であり、当該情報の変化に応じて更新される表示情報リストを示している。
【００６８】
図１３において、表示情報リストは、各種表示情報に対応するそれぞれの表示フラグおよび第１表示部選択フラグに加えて表示部占有フラグが記述されている。表示部占有フラグは、携帯情報端末装置１ｃが有する第１表示部３または第２表示部９のいずれかを必ず占有して表示する（つまり、必ず単数表示レイアウトで表示される）表示情報に対して「ＯＮ」が記述され、占有を条件としない表示情報に対して「ＯＦＦ」が記述される。
【００６９】
なお、図１３では、表示情報として、「着信」、「ＥＰＧ」、「ＴＶ画像」、「文字スーパ」、「着信結果」、および「メール編集」が記述されている。そして、図１３（ａ）では、表示情報「ＥＰＧ」、「ＴＶ画像」、および「文字スーパ」に対して表示フラグ「ＯＮ」が記述され、表示情報「着信」、「ＴＶ画像」、「文字スーパ」、および「着信結果」に対して第１表示部選択フラグ「ＯＮ」が記述され、表示情報「着信」に対して表示部占有フラグ「ＯＮ」が記述されている。また、図１３（ｂ）では、表示情報「着信」、「ＥＰＧ」、「ＴＶ画像」、および「文字スーパ」に対して表示フラグ「ＯＮ」が記述され、表示情報「着信」、「ＴＶ画像」、「文字スーパ」、および「着信結果」に対して第１表示部選択フラグ「ＯＮ」が記述され、表示情報「着信」に対して表示部占有フラグ「ＯＮ」が記述されている。さらに、図１３（ｃ）では、表示情報「ＥＰＧ」、「ＴＶ画像」、「文字スーパ」、および「着信結果」に対して表示フラグ「ＯＮ」が記述され、表示情報「着信」、「ＴＶ画像」、「文字スーパ」、および「着信結果」に対して第１表示部選択フラグ「ＯＮ」が記述され、表示情報「着信」に対して表示部占有フラグ「ＯＮ」が記述されている。つまり、図１３（ｂ）で示した表示情報リストは、図１３（ａ）で示した表示情報リストに対して表示情報「着信」が表示対象に追加されていることが異なる。また、図１３（ｃ）で示した表示情報リストは、図１３（ｂ）で示した表示情報リストに対して表示情報「着信」が表示対象から削除されて表示情報「着信結果」が表示対象に追加されていることが異なる。
【００７０】
図１４（ａ）は、図１３（ａ）で説明した表示情報リストに基づいて、第１表示部３および第２表示部９それぞれに表示するレイアウトの一例を示す図である。図１４（ｂ）は、図１３（ｂ）で説明した表示情報リストに基づいて、第１表示部３および第２表示部９それぞれに表示するレイアウトの一例を示す図である。図１４（ｃ）は、図１３（ｃ）で説明した表示情報リストに基づいて、第１表示部３および第２表示部９それぞれに表示するレイアウトの一例を示す図である。
【００７１】
図１４（ａ）において、映像制御部１４は、表示フラグが「ＯＮ」の表示情報を表示情報リストに基づいて第１表示部３または第２表示部９にレイアウトして表示する。図１３（ａ）で示した表示情報リストでは、表示情報「ＥＰＧ」、「ＴＶ画像」、および「文字スーパ」に対して表示フラグ「ＯＮ」が記述され、表示情報「着信」、「ＴＶ画像」、「文字スーパ」、および「着信結果」に対して第１表示部選択フラグ「ＯＮ」が記述されている。したがって、映像制御部１４は、ＴＶ画像Ｉ１および文字スーパ情報Ｉ５を第１表示部３に複数表示レイアウトで表示する。そして、映像制御部１４は、ＥＰＧＩ２を第２表示部９に単数表示レイアウトで表示する。
【００７２】
図１４（ｂ）において、映像制御部１４は、着信を示す情報変化信号に応じて表示フラグが「ＯＮ」の表示情報を表示情報リストに基づいて第１表示部３または第２表示部９にレイアウトして表示する。図１３（ｂ）で示した表示情報リストでは、表示情報「着信」、「ＥＰＧ」、「ＴＶ画像」、および「文字スーパ」に対して表示フラグ「ＯＮ」が記述され、表示情報「着信」、「ＴＶ画像」、「文字スーパ」、および「着信結果」に対して第１表示部選択フラグ「ＯＮ」が記述され、表示情報「着信」に対して表示部占有フラグ「ＯＮ」が記述されている。したがって、映像制御部１４は、着信情報Ｉ６を第１表示部３に単数表示レイアウトで表示する。そして、映像制御部１４は、ＴＶ画像Ｉ１、ＥＰＧＩ２、および文字スーパ情報Ｉ５を第２表示部９に複数表示レイアウトで表示する。
【００７３】
このように、表示部占有フラグ「ＯＮ」の表示情報を表示する場合、第１表示部選択フラグに応じた表示部を占有して当該表示情報が表示される。以上の切り替えを行うことにより、多数の情報を表示している時の表示情報追加に対して、いままで表示していた情報を損ねることなく自動的に表示レイアウトを切り替え、ユーザに負荷を与えることなく、見やすいインターフェースを提供できる。
【００７４】
図１４（ｃ）において、映像制御部１４は、着信が終わり着信結果が追加された情報変化信号に応じて、表示フラグが「ＯＮ」の表示情報を表示情報リストに基づいて第１表示部３または第２表示部９にレイアウトして表示する。図１３（ｃ）で示した表示情報リストでは、表示情報「ＥＰＧ」、「ＴＶ画像」、「文字スーパ」、および「着信結果」に対して表示フラグ「ＯＮ」が記述され、表示情報「着信」、「ＴＶ画像」、「文字スーパ」、および「着信結果」に対して第１表示部選択フラグ「ＯＮ」が記述されている。したがって、映像制御部１４は、ＴＶ画像Ｉ１、文字スーパ情報Ｉ５、および着信結果情報Ｉ７を第１表示部３に複数表示レイアウトで表示する。そして、映像制御部１４は、ＥＰＧＩ２を第２表示部９に単数表示レイアウトで表示する。図１４（ｃ）の切り替えを行うことにより、多数の情報を表示している時の表示情報の削除に対して、再度自動的に表示レイアウトを切り替え、ユーザに負荷を与えることなく、見やすいインターフェースを提供できる。
【００７５】
以下、図１５を参照して、映像制御部１４が行う表示状態変更処理の動作について説明する。なお、図１５は、映像制御部１４が行う表示状態変更処理を示すフローチャートである。この映像制御部１４が行う表示状態変更処理は、情報変化検出部１９から出力される情報変化信号に応じてスタートする。
【００７６】
図１５において、映像制御部１４は、記憶部１７に格納された表示情報リストを検索し、表示フラグ「ＯＮ」が複数記述されているか否かを判断する（ステップＳ２０）。そして、映像制御部１４は、複数の表示フラグ「ＯＮ」が記述されている場合、処理を次のステップＳ２１に進める。一方、映像制御部１４は、表示フラグ「ＯＮ」が複数記述されていない場合、処理を次のステップＳ２８に進める。
【００７７】
ステップＳ２１において、映像制御部１４は、記憶部１７に格納された表示情報リストから表示フラグ「ＯＮ」が記述されている表示情報を検索し、当該表示情報のうち表示部占有フラグ「ＯＮ」が記述されている表示情報があるか否かを判断する。そして、映像制御部１４は、表示部占有フラグ「ＯＮ」が記述されていない場合、処理を次のステップＳ２２に進める。一方、映像制御部１４は、表示部占有フラグ「ＯＮ」が記述されている場合、処理を次のステップＳ２９に進める。
【００７８】
ステップＳ２２〜Ｓ２８の処理については、第１の実施形態で図７を用いて説明したステップＳ１２〜Ｓ１８と同様である。したがって、ステップＳ２２〜Ｓ２７の詳細な説明については省略する。なお、図７のステップＳ１６〜Ｓ１８と同様に、ステップＳ２６〜Ｓ２８の終了後、映像制御部１４は、当該フローチャートによる処理を終了する。
【００７９】
一方、ステップＳ２９において、映像制御部１４は、表示フラグ「ＯＮ」かつ表示部占有フラグ「ＯＮ」が記述された表示情報を単数表示レイアウトで表示し、処理を次のステップに進める。その際、当該表示情報に対応して記述された第１表示部選択フラグが「ＯＮ」の場合、当該表示情報を第１表示部３に表示し、第１表示部選択フラグが「ＯＦＦ」の場合、当該表示情報を第２表示部９に表示する。なお、表示フラグ「ＯＮ」かつ表示部占有フラグ「ＯＮ」が記述された表示情報が複数あることも考えられる。この場合、それらの表示情報の第１表示部選択フラグが同じであるとき、表示フラグが「ＯＮ」に後で更新された表示情報を優先的に表示すればよい（後勝ち）。また、それらの表示情報の第１表示部選択フラグが異なるとき、それら表示情報が第１表示部３および第２表示部９をそれぞれ占有して表示すればよい。
【００８０】
次に、映像制御部１４は、上記ステップＳ２９で占有表示されていない表示部があるか否かを判断する（ステップＳ３０）。そして、非占有の表示部がある場合、映像制御部１４は、処理を次のステップＳ３１へ進める。一方、全ての表示部が占有して表示されている場合、映像制御部１４は、当該フローチャートによる処理を終了する。
【００８１】
ステップＳ３１において、映像制御部１４は、記憶部１７に格納された表示情報リストから表示フラグ「ＯＮ」が記述されている表示情報を検索し、当該表示情報のうち第１表示部３または第２表示部９に表示されていない表示情報が複数あるか否かを判断する。そして、未表示の表示情報が複数ある場合、映像制御部１４は、未表示の表示情報を複数表示レイアウトで非占有の表示部に表示して（ステップＳ３２）、当該フローチャートによる処理を終了する。一方、未表示の表示情報が複数でない場合、映像制御部１４は、当該表示情報を単数表示レイアウトで非占有の表示部に表示して（ステップＳ３３）、当該フローチャートによる処理を終了する。なお、ステップＳ３３において、未表示の表示情報がない場合、映像制御部１４は、非占有の表示部を未表示にする。
【００８２】
このように、第２の実施形態に係る携帯情報端末装置によれば、表示対象の情報変化に応じて自動的に複数の表示部に対する表示レイアウトが切り替わり、ユーザにとって見やすい適切なレイアウトで複数の情報を表示することができる。
【００８３】
なお、第１表示部３または第２表示部９を占有する画面上の情報は、ユーザに対して携帯情報端末装置１ｃにおける操作内容を提示する操作画面でもかまわない。例えば、この操作画面は、ユーザが操作キー４を操作することによって、自動的に第１表示部３を占有して表示される。また、ユーザが操作キー４を操作することによって、表示情報リストの各フラグの設定を変更して表示レイアウトを変更してもかまわない。以下、図１６を参照して、上述した操作キー４の操作によって表示情報リストが更新される第４の例について説明する。なお、図１６は、記憶部１７に格納され更新される表示情報リストの第４の例を示す図であり、当該情報の変化に応じて更新される表示情報リストを示している。
【００８４】
図１６において、表示情報リストは、図１３と同様に各種表示情報に対応するそれぞれの表示フラグ、第１表示部選択フラグ、および表示部占有フラグが記述されている。これらの項目の説明については、第１の実施形態および図１３と同様であるため詳細な説明を省略する。なお、図１６では、表示情報として、「操作画面」、「ＥＰＧ」、「ＴＶ画像」、「字幕」、「通信コンテンツリンク」、および「通信コンテンツ」が記述されている。そして、図１６（ａ）では、表示情報「操作画面」、「ＥＰＧ」、「ＴＶ画像」、および「字幕」に対して表示フラグ「ＯＮ」が記述され、表示情報「操作画面」に対して第１表示部選択フラグ「ＯＮ」が記述され、表示情報「操作画面」に対して表示部占有フラグ「ＯＮ」が記述されている。また、図１６（ｂ）では、表示情報「ＥＰＧ」、「ＴＶ画像」、および「字幕」に対して表示フラグ「ＯＮ」が記述され、表示情報「操作画面」、「ＴＶ画像」、および「字幕」に対して第１表示部選択フラグ「ＯＮ」が記述され、表示情報「操作画面」に対して表示部占有フラグ「ＯＮ」が記述されている。つまり、図１６（ｂ）で示した表示情報リストは、図１６（ａ）で示した表示情報リストに対して表示情報「操作画面」が表示対象から削除され、表示情報「ＴＶ画像」および「字幕」に対する第１表示部選択フラグが「ＯＮ」に変更されていることが異なる。
【００８５】
図１７（ａ）は、図１６（ａ）で説明した表示情報リストに基づいて、第１表示部３および第２表示部９それぞれに表示するレイアウトの一例を示す図である。図１７（ｂ）は、図１６（ｂ）で説明した表示情報リストに基づいて、第１表示部３および第２表示部９それぞれに表示するレイアウトの一例を示す図である。
【００８６】
図１７（ａ）において、情報変化検出部１９から出力される操作信号を示す情報変化信号を受けた場合、映像制御部１４は、表示フラグが「ＯＮ」の表示情報を表示情報リストに基づいて第１表示部３または第２表示部９にレイアウトして表示する。図１６（ａ）で示した表示情報リストでは、「操作画面」、「ＥＰＧ」、「ＴＶ画像」、および「字幕」に対して表示フラグ「ＯＮ」が記述され、表示情報「操作画面」に対して第１表示部選択フラグ「ＯＮ」が記述され、表示情報「操作画面」に対して表示部占有フラグ「ＯＮ」が記述されている。したがって、映像制御部１４は、操作画面Ｉ８を第１表示部３に単数表示レイアウトで表示する。そして、映像制御部１４は、ＴＶ画像Ｉ１、ＥＰＧＩ２、および字幕Ｉ９を第２表示部９に複数表示レイアウトで表示する。そして、携帯情報端末装置１ｃのユーザは、第１表示部３を占有して表示された操作画面Ｉ８を見て、第１表示部３に優先的に表示する表示情報を選択し、「ＴＶ画像」および「字幕」が選択される。
【００８７】
図１７（ｂ）において、情報変化検出部１９から出力される操作信号が消滅して所定時間経過したことを示す情報変化信号を受けた場合、映像制御部１４は、表示フラグが「ＯＮ」の表示情報を表示情報リストに基づいて第１表示部３または第２表示部９にレイアウトして表示する。図１６（ｂ）で示した表示情報リストでは、「ＥＰＧ」、「ＴＶ画像」、および「字幕」に対して表示フラグ「ＯＮ」が記述され、表示情報「操作画面」、「ＴＶ画像」、および「字幕」に対して第１表示部選択フラグ「ＯＮ」が記述されている。したがって、映像制御部１４は、ＴＶ画像Ｉ１および字幕Ｉ９を第１表示部３に複数表示レイアウトで表示する。そして、映像制御部１４は、ＥＰＧＩ２を第２表示部９に単数表示レイアウトで表示する。このとき、操作画面Ｉ８は、上記所定時間経過後、自動的に未表示となる。このように、表示情報移動が要求された際に、自動的に表示レイアウトが切り替わり、ユーザに負荷を与えることなく、見やすいインターフェースを提供できる。
【００８８】
また、第１表示部３または第２表示部９を占有する画面は、通信コンテンツへのリンクを選択することによって受信した通信コンテンツ情報でもかまわない。以下、図１８を参照して、上述したリンクを選択することによって表示情報リストが更新される第５の例について説明する。なお、図１８は、記憶部１７に格納され更新される表示情報リストの第５の例を示す図であり、当該情報の変化に応じて更新される表示情報リストを示している。
【００８９】
図１８において、表示情報リストは、図１３と同様に各種表示情報に対応するそれぞれの表示フラグ、第１表示部選択フラグ、および表示部占有フラグが記述されている。これらの項目の説明については、第１の実施形態および図１３と同様であるため詳細な説明を省略する。なお、図１８では、表示情報として、「操作画面」、「ＥＰＧ」、「ＴＶ画像」、「字幕」、「通信コンテンツリンク」、および「通信コンテンツ」が記述されている。そして、図１８（ａ）では、表示情報「ＴＶ画像」および「通信コンテンツリンク」に対して表示フラグ「ＯＮ」が記述され、表示情報「操作画面」、「ＴＶ画像」、「字幕」、および「通信コンテンツリンク」に対して第１表示部選択フラグ「ＯＮ」が記述され、表示情報「操作画面」および「通信コンテンツ」に対して表示部占有フラグ「ＯＮ」が記述されている。また、図１８（ｂ）では、表示情報「ＴＶ画像」および「通信コンテンツ」に対して表示フラグ「ＯＮ」が記述され、表示情報「操作画面」、「ＴＶ画像」、「字幕」、および「通信コンテンツリンク」に対して第１表示部選択フラグ「ＯＮ」が記述され、表示情報「操作画面」および「通信コンテンツ」に対して表示部占有フラグ「ＯＮ」が記述されている。つまり、図１８（ｂ）で示した表示情報リストは、図１８（ａ）で示した表示情報リストに対して表示情報「通信コンテンツリンク」が表示対象から削除され、表示情報「通信コンテンツ」が表示対象に追加されていることが異なる。
【００９０】
図１９（ａ）は、図１８（ａ）で説明した表示情報リストに基づいて、第１表示部３および第２表示部９それぞれに表示するレイアウトの一例を示す図である。図１９（ｂ）は、図１８（ｂ）で説明した表示情報リストに基づいて、第１表示部３および第２表示部９それぞれに表示するレイアウトの一例を示す図である。
【００９１】
図１９（ａ）において、映像制御部１４は、表示フラグが「ＯＮ」の表示情報を表示情報リストに基づいて第１表示部３または第２表示部９にレイアウトして表示する。図１８（ａ）で示した表示情報リストでは、「ＴＶ画像」および「通信コンテンツリンク」に対して表示フラグ「ＯＮ」が記述され、表示情報「ＴＶ画像」および「通信コンテンツリンク」に対して第１表示部選択フラグ「ＯＮ」が記述されている。したがって、映像制御部１４は、ＴＶ画像Ｉ１および通信コンテンツリンク情報Ｉ１０を第１表示部３に複数表示レイアウトで表示する。そして、映像制御部１４は、第２表示部９を未表示にする。そして、携帯情報端末装置１ｃのユーザは、第１表示部３に表示された通信コンテンツリンク情報Ｉ１０を選択して、通信コンテンツリンク情報Ｉ１０にリンクする通信コンテンツ情報を表示するように促す。
【００９２】
図１９（ｂ）において、情報変化検出部１９から出力される通信コンテンツ情報を示す情報変化信号を受けた場合、映像制御部１４は、表示フラグが「ＯＮ」の表示情報を表示情報リストに基づいて第１表示部３または第２表示部９にレイアウトして表示する。図１８（ｂ）で示した表示情報リストでは、「ＴＶ画像」および「通信コンテンツ」に対して表示フラグ「ＯＮ」が記述され、表示情報「ＴＶ画像」に対して第１表示部選択フラグ「ＯＮ」が記述されている。したがって、映像制御部１４は、ＴＶ画像Ｉ１を第１表示部３に単数表示レイアウトで表示する。そして、映像制御部１４は、通信コンテンツ情報Ｉ１１を第２表示部９に単数表示レイアウトで表示する。このように、リンクする表示情報追加が要求された際に、自動的に表示レイアウトが切り替わり、ユーザに負荷を与えることなく、見やすいインターフェースを提供できる。
【００９３】
なお、上述した第２の実施形態の説明では、携帯情報端末装置１ｃが、常に第１表示部３および第２表示部９がユーザから視認可能な構造を有している一例を用いたが、図１〜図３を用いて説明した第２表示部９が視認可能／不可能に動作する構造を有していてもかまわない。この場合、図１５のステップＳ２０の後に図７のステップＳ１１を実行し、当該ステップＳ１１が「Ｙｅｓ」の場合に図１５のステップＳ２１に進むようにすれば、第１および第２の実施形態の効果を兼ね備えた表示状態変更処理を行うことができる。
【００９４】
（第３の実施形態）
以下、図面を参照して、本発明の第３の実施形態に係る携帯情報端末装置について説明する。上記第１の実施形態では複数の表示部の視認状況に応じて自動的にそれぞれの表示レイアウトが切り替わる例を説明し、第２の実施形態では表示対象の情報変化に応じて自動的にそれぞれの表示レイアウトが切り替わる例を説明した。第３の実施形態では、表示対象の情報毎に優先度を付与して、当該優先度に応じて自動的にそれぞれの表示レイアウトが切り替わる。そして、当該携帯情報端末装置を携帯電話およびそれに類する機器へ応用した場合、図１〜図３を用いて説明した第２表示部９が視認可能／不可能に動作する構造を有していてもいいし、常に第１表示部３および第２表示部９がユーザから視認可能な構造を有していてもかまわない。なお、第１表示部３および第２表示部９は、共にＬＣＤで構成される以外に、ＬＣＤおよび有機ＥＬなどそれぞれ異なる表示方式で構成されてもかまわない。また、他の表示方式として、電子ペーパー、ポリシリコン液晶でもよく、ＬＣＤでもバックライト有りとバックライト無しや、異なる電圧で表示制御する方式でもかまわない。以下、携帯情報端末装置が、常に第１表示部３および第２表示部９がユーザから視認可能な構造を有している一例を用いて説明を行う。
【００９５】
図２０を参照して、第３の実施形態に係る携帯情報端末装置１ｄの内部構成について説明する。なお、図２０は、携帯情報端末装置１ｄの内部構成を示すブロック図である。なお、携帯情報端末装置１ｄは、第２の実施形態で説明した携帯情報端末装置１ｃに対して記憶部１７の内部に優先度記憶部１７１が追加された構成であり、他の構成要素は同一である。したがって、携帯情報端末装置１ｄの説明にあたっては、第１または第２の実施形態と同様の構成要素に対しては同一の参照符号を付して、詳細な説明を省略する。
【００９６】
優先度記憶部１７１は、表示情報リストに記述されている表示情報に対して、それぞれの予め設定された優先度を記憶する。また、後述するように、優先度が最も高い表示情報が単数表示レイアウトに設定された表示部に表示されるため、優先度記憶部１７１は、第１表示部３および第２表示部９に対してそれぞれ設定状況も記憶している。優先度記憶部１７１が記憶する表示部の設定状況は、ユーザが操作キー４を操作することによって変更可能である。なお、これら優先度や設定状況を記憶する優先度記憶部１７１は、記憶部１７内部で他の情報と区別して設ける必要はなく、上述した表示情報リストの１項目として記憶すればよい。また、優先度記憶部１７１は、記憶部１７と別に設けてもかまわない。
【００９７】
映像制御部１４は、入力される各情報に応じて優先度記憶部１７１に記憶された優先度および表示部の設定状況を参照し、その優先度にしたがって最適な表示レイアウトを構成して第１表示部３および第２表示部９に表示する。
【００９８】
記憶部１７には、各種表示情報に対応するそれぞれの表示フラグが記述された表示情報リストが記憶されている。そして、表示情報リストは、入出力制御部１３に入力される情報の変化に応じて更新される。以下、図２１を参照して、携帯情報端末装置１ｄにおいて表示情報リストが更新される第１の例について説明する。なお、図２１は、記憶部１７に格納され更新される表示情報リストの第１の例を示す図であり、当該情報の変化に応じて更新される前後の表示情報リストを示している。また、説明を単純にするために、図２１では優先度記憶部１７１が記憶する優先度が表示情報リストの１項目として記憶されている。また、図２１では優先度記憶部１７１が記憶する表示部の設定状況を共に示している。
【００９９】
図２１において、表示情報リストは、各種表示情報に対応するそれぞれの表示フラグおよび優先度が記述されている。表示情報および表示フラグの説明については、第１の実施形態と同様であるため詳細な説明を省略する。優先度は、単数表示レイアウトで設定された第１表示部３および／または第２表示部９に対して優先的に表示される表示情報を数値で示している。そして、優先度の数値が大きい表示情報が他の表示情報に対して優先的に単数表示レイアウトで表示される。これら表示情報毎に設定される優先度は、それらの表示情報を受信する前に予め設定されており、携帯情報端末装置１ｄのユーザによって変更が可能である。
【０１００】
図２１では、表示情報として、「着信」、「アラーム」、「ＥＰＧ」、「ＴＶ画像」、「ＴＶ操作」、および「メール受信」が記述されている。そして、図２１（ａ）では、表示情報「着信」に対して、優先度「１０」および表示フラグ「ＯＦＦ」が記述されている。表示情報「アラーム」に対して、優先度「９」および表示フラグ「ＯＦＦ」が記述されている。表示情報「ＥＰＧ」に対して、優先度「８」および表示フラグ「ＯＮ」が記述されている。表示情報「ＴＶ画像」に対して、優先度「７」および表示フラグ「ＯＮ」が記述されている。表示情報「ＴＶ操作」に対して、優先度「７」および表示フラグ「ＯＦＦ」が記述されている。表示情報「メール受信」に対して、優先度「４」および表示フラグ「ＯＮ」が記述されている。また、図２１（ｂ）では、図２１（ａ）の表示情報リストに対して表示情報「アラーム」が表示フラグ「ＯＮ」に更新（つまり、表示情報「アラーム」の表示追加）されている。
【０１０１】
また、図２１では優先度記憶部１７１が記憶する表示部の設定状況も示している。図２１（ａ）および図２１（ｂ）共に、表示部「第１表示部」に対してレイアウト選択「複数表示レイアウト」が記述され、表示部「第２表示部」に対してレイアウト選択「単数表示レイアウト」が記述されている。つまり、この設定状況では、第２表示部９のみが単数表示レイアウトで表示情報を表示するように設定されている。このように優先度記憶部１７１で記憶する表示部の設定状況は、いずれか一方の表示部が単数表示レイアウトに設定され、他方の表示部が複数表示レイアウトに設定される。これら表示部に対するレイアウト選択は、携帯情報端末装置１ｄのユーザによって変更が可能である。
【０１０２】
映像制御部１４は、入出力制御部１３または記憶部１７から入力された各種データを、情報変化検出部１９から出力される情報変化信号、記憶部１７に格納された優先度を含む表示情報リスト、および表示部の設定状況に基づいて、第１表示部３および第２表示部９それぞれに表示するレイアウトを変更する。図２２（ａ）は、図２１（ａ）で説明した表示情報リストおよび表示部の設定状況に基づいて、第１表示部３および第２表示部９それぞれに表示するレイアウトの一例を示す図である。図２２（ｂ）は、図２１（ｂ）で説明した表示情報リストおよび表示部の設定状況に基づいて、第１表示部３および第２表示部９それぞれに表示するレイアウトの一例を示す図である。
【０１０３】
図２２（ａ）において、映像制御部１４は、表示フラグが「ＯＮ」の表示情報を優先度および表示部の設定状況に基づいて第１表示部３または第２表示部９にレイアウトして表示する。図２１（ａ）で示した表示情報リストでは、表示情報「ＥＰＧ」、「ＴＶ画像」、および「メール受信」に対して表示フラグ「ＯＮ」が記述されており、それらのうち表示情報「ＥＰＧ」に最も高い優先度「８」が記述されている。そして、第２表示部が単数表示レイアウトに設定されている。したがって、映像制御部１４は、ＴＶ画像Ｉ１およびメール受信情報Ｉ３を第１表示部３に複数表示レイアウトで表示する。そして、映像制御部１４は、ＥＰＧＩ２を第２表示部９に単数表示レイアウトで表示にする。
【０１０４】
図２２（ｂ）において、映像制御部１４は、情報変化検出部１９から出力されるアラーム情報を示す情報変化信号を受けた場合、更新された表示情報リストにおいて表示フラグが「ＯＮ」の表示情報を優先度および表示部の設定状況に基づいて第１表示部３または第２表示部９にレイアウトして表示する。図２１（ｂ）で示した表示情報リストでは、表示情報「アラーム」が表示フラグ「ＯＮ」に更新されており、当該表示情報「アラーム」に最も高い優先度「９」が記述されている。そして、第２表示部が単数表示レイアウトに設定されている。したがって、映像制御部１４は、ＴＶ画像Ｉ１、ＥＰＧＩ２、およびメール受信情報Ｉ３を第１表示部３に複数表示レイアウトで表示する。そして、映像制御部１４は、アラーム情報Ｉ１２を第２表示部９に単数表示レイアウトで表示にする。
【０１０５】
図２２（ａ）および図２２（ｂ）を比較すれば明らかなように、携帯情報端末装置１ｄでは、単数表示レイアウトに設定された表示部に対して、最も優先度が高い表示情報が表示される。例えば、優先度が最も高い表示情報の表示が追加された場合、当該表示情報が表示部を占有して表示されるレイアウトに変更されるため、携帯情報端末装置１ｄのユーザが優先度の高い情報を優先して確認することができる。
【０１０６】
次に、図２３を参照して、携帯情報端末装置１ｄにおいて表示情報リストが更新される第２の例について説明する。なお、図２３は、記憶部１７に格納され更新される表示情報リストの第２の例を示す図であり、当該情報の変化に応じて更新される前後の表示情報リストを示している。また、説明を単純にするために、図２３では図２１と同様に優先度記憶部１７１が記憶する優先度が表示情報リストの１項目として記憶されている。また、図２３では優先度記憶部１７１が記憶する表示部の設定状況を共に示している。
【０１０７】
図２３において、表示情報リストは、各種表示情報に対応するそれぞれの表示フラグおよび優先度が記述されている。それぞれの項目の説明については、図２１と同様であるため詳細な説明を省略する。図２３では、表示情報として、「着信」、「アラーム」、「ＥＰＧ」、「ＴＶ画像」、「ＴＶ操作」、および「メール受信」が記述されている。そして、図２３（ａ）では、表示情報リストに記載された表示フラグおよび優先度が図２１（ａ）と同様であるため、記述内容の説明は省略する。図２３（ｂ）では、図２３（ａ）の表示情報リストに対して表示情報「ＴＶ操作」が表示フラグ「ＯＮ」に更新（つまり、表示情報「ＴＶ操作」の表示追加）されている。また、図２３では優先度記憶部１７１が記憶する表示部の設定状況も示しているが、図２１と同様であるため説明を省略する。
【０１０８】
映像制御部１４は、入出力制御部１３または記憶部１７から入力された各種データを、情報変化検出部１９から出力される情報変化信号、記憶部１７に格納された優先度を含む表示情報リスト、および表示部の設定状況に基づいて、第１表示部３および第２表示部９それぞれに表示するレイアウトを変更する。図２４（ａ）は、図２３（ａ）で説明した表示情報リストおよび表示部の設定状況に基づいて、第１表示部３および第２表示部９それぞれに表示するレイアウトの一例を示す図である。図２４（ｂ）は、図２３（ｂ）で説明した表示情報リストおよび表示部の設定状況に基づいて、第１表示部３および第２表示部９それぞれに表示するレイアウトの一例を示す図である。
【０１０９】
図２４（ａ）において、映像制御部１４は、表示フラグが「ＯＮ」の表示情報を優先度および表示部の設定状況に基づいて第１表示部３または第２表示部９にレイアウトして表示する。図２３（ａ）で示した表示情報リストでは、表示情報「ＥＰＧ」、「ＴＶ画像」、および「メール受信」に対して表示フラグ「ＯＮ」が記述されており、それらのうち表示情報「ＥＰＧ」に最も高い優先度「８」が記述されている。そして、第２表示部が単数表示レイアウトに設定されている。したがって、映像制御部１４は、ＴＶ画像Ｉ１およびメール受信情報Ｉ３を第１表示部３に複数表示レイアウトで表示する。そして、映像制御部１４は、ＥＰＧＩ２を第２表示部９に単数表示レイアウトで表示にする。
【０１１０】
図２４（ｂ）において、映像制御部１４は、情報変化検出部１９から出力されるＴＶ操作情報を示す情報変化信号を受けた場合、更新された表示情報リストにおいて表示フラグが「ＯＮ」の表示情報を優先度および表示部の設定状況に基づいて第１表示部３または第２表示部９にレイアウトして表示する。図２３（ｂ）で示した表示情報リストでは、表示情報「ＴＶ操作」が表示フラグ「ＯＮ」に更新されているが、最も高い優先度が記述されている表示情報は変化せずに表示情報「ＥＰＧ」である。そして、第２表示部が単数表示レイアウトに設定されている。したがって、映像制御部１４は、ＴＶ画像Ｉ１、メール受信情報Ｉ３、およびＴＶ操作情報Ｉ１３を第１表示部３に複数表示レイアウトで表示する。そして、映像制御部１４は、ＥＰＧＩ２を第２表示部９に単数表示レイアウトで表示にする。
【０１１１】
図２４（ａ）および図２４（ｂ）を比較すれば明らかなように、携帯情報端末装置１ｄでは、単数表示レイアウトに設定された表示部に対して、最も優先度が高い表示情報が表示される。しかしながら、優先度が低い表示情報の表示が追加された場合、最も優先度が高い表示情報を継続して同じ表示部を占有して表示する。したがって、携帯情報端末装置１ｄのユーザは、常に優先度の高い情報を優先して確認することができる。
【０１１２】
以下、図２５を参照して、携帯情報端末装置１ｄの映像制御部１４が行う表示状態変更処理の動作について説明する。なお、図２５は、当該映像制御部１４が行う表示状態変更処理を示すフローチャートである。この映像制御部１４が行う表示状態変更処理は、情報変化検出部１９から出力される情報変化信号に応じてスタートする。
【０１１３】
図２５において、映像制御部１４は、記憶部１７に格納された表示情報リストを検索し、表示フラグ「ＯＮ」が記述されている表示情報のうち、最も優先度が高い表示情報を検索する（ステップＳ４０）。以下、ステップＳ４０で検索された最も優先度が高い表示情報を最高優先度情報Ａと記載する。次に、映像制御部１４は、表示部の設定状況に対してレイアウト選択が変更されたか否かを判断する（ステップＳ４１）。そして、映像制御部１４は、表示部の設定状況に対してレイアウト選択が変更された場合、記憶部１７の優先度記憶部１７１に記憶されている表示部の設定状況を変更して、次のステップＳ４３へ処理を進める。一方、映像制御部１４は、表示部の設定状況に対してレイアウト選択が変更されていない場合、そのまま次のステップＳ４３へ処理を進める。
【０１１４】
ステップＳ４３において、映像制御部１４は、優先度記憶部１７１に記憶されている表示部の設定状況を参照して第１表示部のレイアウト選択が単数表示レイアウトに設定されているか否かを判断する。そして、映像制御部１４は、第１表示部のレイアウト選択が単数表示レイアウトに設定されているときに処理を次のステップＳ４４に進め、第１表示部のレイアウト選択が単数表示レイアウトに設定されていないときに処理を次のステップＳ４７に進める。
【０１１５】
ステップＳ４４において、映像制御部１４は、上記ステップＳ４０で検索された最高優先度情報Ａを第１表示部３に単数表示レイアウトで表示する。次に、映像制御部１４は、上記表示情報リストで表示フラグ「ＯＮ」が記述されている表示情報のうち、閾値以下の優先度が記述されている表示情報を簡易表示に変更する（ステップＳ４５）。そして、映像制御部１４は、上記表示情報リストで表示フラグ「ＯＮ」が記述された最高優先度情報Ａ以外の表示情報を第２表示部９に複数表示レイアウトで表示し（ステップＳ４６）、当該フローチャートによる処理を終了する。
【０１１６】
一方、ステップＳ４７において、映像制御部１４は、上記ステップＳ４０で検索された最高優先度情報Ａを第２表示部９に単数表示レイアウトで表示する。次に、映像制御部１４は、上記表示情報リストで表示フラグ「ＯＮ」が記述されている表示情報のうち、閾値以下の優先度が記述されている表示情報を簡易表示に変更する（ステップＳ４８）。そして、映像制御部１４は、上記表示情報リストで表示フラグ「ＯＮ」が記述された最高優先度情報Ａ以外の表示情報を第１表示部３に複数表示レイアウトで表示し（ステップＳ４９）、当該フローチャートによる処理を終了する。
【０１１７】
なお、上記ステップＳ４０において、最高優先度情報Ａが複数検索された場合、単数表示レイアウトで設定された表示部に対してそれらの表示情報だけで複数表示レイアウトで表示してもかまわない。この場合、図２１の表示情報「ＴＶ画像」および「ＴＶ操作」のように同じ優先度が記述されている場合、それらが最も優先度が高くても常に同じ表示部に表示される。したがって、別々の表示部に表示することによって不都合が生じる表示情報に対して同じ優先度を記述すれば、このような不都合が生じることなく適切なレイアウトで表示することができる。
【０１１８】
また、ある優先度以上の表示情報に対しては、常に第１表示部３を占有して表示するようにしてもかまわない。この場合、他の表示情報が第２表示部９に複数表示レイアウトで表示される。例えば、緊急度の高い表示情報等に対して大きな優先度を設定し、当該表示情報を受信したときに常に第１表示部３を占有して表示するようにすれば、携帯情報端末装置１ｄのユーザに対して緊急度の高い情報の注意を呼びかけることもできる。
【０１１９】
このように、第３の実施形態に係る携帯情報端末装置によれば、表示情報追加が要求された際に、優先度にしたがって自動的に複数表示部に対する表示レイアウトが切り替わり、ユーザに負荷を与えることなく、見やすい適切なレイアウトで表示することができる。
【産業上の利用可能性】
【０１２０】
本発明にかかる携帯情報端末装置は、自動的に表示レイアウトが切り替わってユーザにとって見やすい適切なレイアウトで複数の情報を表示することができ、複数の表示部を有する携帯情報端末装置等の用途に適用できる。
【図面の簡単な説明】
【０１２１】
【図１】本発明の第１の実施形態に係る携帯情報端末装置１ａの正面側斜視図および背面側斜視図
【図２】図１の携帯情報端末装置１ａの背板１０ａを開いた状態を示す正面側斜視図
【図３】図１の携帯情報端末装置１ａとは異なった動作によって第２表示部９がユーザから視認可能または視認不可の位置に移動する携帯情報端末装置１ｂの正面側斜視図
【図４】図１および図３の携帯情報端末装置１ａおよび１ｂの内部構成を示すブロック図
【図５】図４の記憶部１７に格納される表示情報リストの一例を示す図
【図６】図５で説明した表示情報リストに基づいて、第１表示部３および第２表示部９それぞれに表示するレイアウトの一例を示す図
【図７】図４の映像制御部１４が行う表示状態変更処理を示すフローチャート
【図８】本発明の第２の実施形態に係る携帯情報端末装置１ｃの内部構成を示すブロック図
【図９】図８の記憶部１７に格納され更新される表示情報リストの第１の例を示す図
【図１０】図９の表示情報リストに基づいて、第１表示部３および第２表示部９それぞれに表示するレイアウトの一例を示す図
【図１１】図８の記憶部１７に格納され更新される表示情報リストの第２の例を示す図
【図１２】図１１の表示情報リストに基づいて、第１表示部３および第２表示部９それぞれに表示するレイアウトの一例を示す図
【図１３】図８の記憶部１７に格納され更新される表示情報リストの第３の例を示す図
【図１４】図１３の表示情報リストに基づいて、第１表示部３および第２表示部９それぞれに表示するレイアウトの一例を示す図
【図１５】図８の映像制御部１４が行う表示状態変更処理を示すフローチャート
【図１６】図８の記憶部１７に格納され更新される表示情報リストの第４の例を示す図
【図１７】図１６の表示情報リストに基づいて、第１表示部３および第２表示部９それぞれに表示するレイアウトの一例を示す図
【図１８】図８の記憶部１７に格納され更新される表示情報リストの第５の例を示す図
【図１９】図１８の表示情報リストに基づいて、第１表示部３および第２表示部９それぞれに表示するレイアウトの一例を示す図
【図２０】本発明の第３の実施形態に係る携帯情報端末装置１ｄの内部構成を示すブロック図
【図２１】図２０の記憶部１７に格納され更新される表示情報リストおよび表示部の設定状況の第１の例を示す図
【図２２】図２１の表示情報リストおよび表示部の設定状況に基づいて、第１表示部３および第２表示部９それぞれに表示するレイアウトの一例を示す図
【図２３】図２０の記憶部１７に格納され更新される表示情報リストおよび表示部の設定状況の第２の例を示す図
【図２４】図２３の表示情報リストおよび表示部の設定状況に基づいて、第１表示部３および第２表示部９それぞれに表示するレイアウトの一例を示す図
【図２５】図２０の映像制御部１４が行う表示状態変更処理を示すフローチャート
【符号の説明】
【０１２２】
１…携帯情報端末装置
２…スピーカ
３…第１表示部
４…操作キー
５…マイク
６…カメラ
７…回転軸
８…アンテナ
９…第２表示部
１０…背板
１１…送受信部
１２…受信部
１３…入出力制御部
１４…映像制御部
１５…表示状態判別部
１６…ＣＰＵ
１７…記憶部
１７１…優先度記憶部
１８…音声出力部
１９…情報変化検出部
【図１】
2005198259.tif 000003
【図２】
2005198259.tif 000004
【図３】
2005198259.tif 000005
【図４】
2005198259.tif 000006
【図５】
2005198259.tif 000007
【図６】
2005198259.tif 000008
【図７】
2005198259.tif 000009
【図８】
2005198259.tif 000010
【図９】
2005198259.tif 000011
【図１０】
2005198259.tif 000012
【図１１】
2005198259.tif 000013
【図１２】
2005198259.tif 000014
【図１３】
2005198259.tif 000015
【図１４】
2005198259.tif 000016
【図１５】
2005198259.tif 000017
【図１６】
2005198259.tif 000018
【図１７】
2005198259.tif 000019
【図１８】
2005198259.tif 000020
【図１９】
2005198259.tif 000021
【図２０】
2005198259.tif 000022
【図２１】
2005198259.tif 000023
【図２２】
2005198259.tif 000024
【図２３】
2005198259.tif 000025
【図２４】
2005198259.tif 000026
【図２５】
2005198259.tif 000027